(57)【要約】【課題】塗布パターン幅を拡張させて前記塗布パターンの面積を従来と比較して増大させることにより、塗布時間を短縮することにある。【解決手段】ガン本体１２の内部に設けられた第１連通路４２ａ及び第２連通路４２ｂを介して塗布材料がそれぞれ送給され、ノズル２０をそれぞれ有する第１チップ２２及び第２チップ２４を備え、前記第１チップ２２及び第２チップ２４は、前記ガン本体１２の側面に相互に直交して設けられると共に、塗布材料が吐出されるノズル孔４８の軸線Ａに対して前記エア吐出孔４４の軸線Ｂが約３０度だけ傾斜するように設定される。【選択図】図１
2008168179.tif 000002
【特許請求の範囲】
【請求項１】
成形型の成形面に対しノズルによって塗布材料を塗布する塗布装置において、
本体と、
前記本体の内部に設けられた複数の連通路を介して塗布材料及び流体がそれぞれ送給され、前記ノズルをそれぞれ有する２以上の複数のチップと、
を備え、
前記チップには、前記ノズルに連通し塗布材料である樹脂材料が供給される樹脂用連通路と、前記ノズル側に向かって前記流体が吐出され、前記樹脂用連通路の中心軸に対して交差する中心軸を有する流体用連通路が設けられることを特徴とする塗布装置。
【請求項２】
請求項１記載の装置において、
前記本体を支持する支持部に対して該本体を着脱自在に連結する連結機構が設けられることを特徴とする塗布装置。
【請求項３】
請求項１記載の装置において、
前記複数のチップは、本体に形成された凹部に対して着脱自在に設けられることを特徴とする塗布装置。
【請求項４】
請求項１記載の装置において、
前記樹脂用連通路の中心軸と前記流体用連通路の中心軸との交差角度は、２０度〜４０度の範囲内に設定されることを特徴とする塗布装置。
【請求項５】
成形型の成形面に対しノズルによって塗布材料を塗布する塗布装置に装着されるチップであって、
前記チップには、前記ノズルに連通し塗布材料である樹脂材料が供給される樹脂用連通路と、前記ノズル側に向かって前記流体が吐出され、前記樹脂用連通路の中心軸に対して交差する中心軸を有する流体用連通路とが設けられることを特徴とする塗布装置に装着されるチップ。
【請求項６】
成形型の成形面に対しノズルによって塗布材料を塗布する塗布方法であって、
前記成形型の成形面における塗布部位の形状が徐々に幅狭となって閉塞する袋状の部位に対し、それぞれのノズルから塗布材料を吐出する方向が異なる複数のチップによって同時に塗布することを特徴とする塗布方法。
【請求項７】
成形型の成形面に対しノズルによって塗布材料を塗布する塗布方法であって、
前記成形型の成形面における塗布部位の形状が徐々に幅狭となって閉塞する袋状の部位に対し、ノズルから塗布材料を吐出する方向が異なる複数のチップのうち、直進方向に交差する方向に向かってのみ塗布するチップにより塗布材料を塗布した後、
前記直進方向に向かってのみ塗布するチップにより塗布材料を塗布しつつ、或いはその塗布後に、本体を支持する支持部をその軸線中心に回転させ、次に直進方向に交差する方向に向かってのみ塗布するチップにより塗布材料を塗布し、これら複数のチップを選択し前記選択されたチップにより連続して塗布することを特徴とする塗布方法。
【発明の詳細な説明】
【技術分野】
【０００１】
本発明は、車両の内装材、例えば、インストルメンタルパネル等の表面を覆う表皮材を成形するために、成形型の成形面に対しノズルによって塗布材料を塗布して硬化させる塗布装置及び方法並びに前記塗布装置に装着されるチップに関する。
【背景技術】
【０００２】
例えば、特許文献１には、インストルメントパネル等の表面を覆う表皮材の成形方法として、成形型の成形面に液状樹脂材料をノズルによって塗布し、これを硬化せしめる方法が開示されている。
【０００３】
この特許文献１では、ロボットハンドの先端部に塗布ガンを付設し、前記塗布ガンに設けられたノズルによって成形型の成形面に対して前記液状樹脂材料をスプレー塗布する方法が記載されている。なお、前記液状樹脂材料が塗布された後、直ちに化学反応が開始されて硬化し表皮材が形成される。
【０００４】
この場合、特許文献１では、単一のノズルを成形型の成形面に対して往復動作させる際、前記ノズルからの液状樹脂材料の吹き付け方向を該ノズルの移動方向を基準として斜め後方に設定することにより、ノズルの汚れが抑制されると共に、均一な厚さを有する表皮材が成形されるとしている。
【０００５】
【特許文献１】特許第３８３０３５９号公報
【発明の開示】
【発明が解決しようとする課題】
【０００６】
ところで、塗布ガンに設けられた単一のノズルによって成形面に対して塗布材料を塗布する場合、成形面の形状が複雑で且つ狭小な部位に対して前記塗布材料を塗布するために、従来では、複数種類の中からその形状に対応した塗布ガンを適宜選択して塗布している。
【０００７】
例えば、図１１に示されるように、塗布部位の形状が徐々に幅狭となって閉塞するような袋状の部位１には、塗布ガンの軸と平行な直線方向（塗布ガンの変位方向と平行な方向）に沿ってのみ塗布材料が吐出される第１塗布ガン２を使用し、また、図１２に示されるように、前記閉塞部位１に近接する下部側の幅広な部位３には、塗布ガンの軸線と直交する方向（塗布ガンの変位方向と直交する方向）に沿ってのみ塗布材料が吐出される第２塗布ガン４を使用している。
【０００８】
このように、従来では、塗布部位の形状に対して吐出方向が異なる複数の塗布ガン２、４のいずれかを適宜選択し、且つ交換して塗布材料を塗布している。この結果、塗布方向が異なる複数種類の塗布ガンを準備しなければならず管理コストが高騰すると共に、その交換作業が煩雑であり且つ交換時間を要するという問題がある。
【０００９】
また、従来では、塗布ガンによって塗布される塗布パターン幅が狭小であると共に、単一の方向に沿ってのみ塗布材料が吐出され、塗布ガンによって塗布される塗布パターンの面積が狭小なために、成形面に沿って前記塗布ガンを複数回往復動作させる必要があることから、多くの塗布時間を要するという問題がある。
【００１０】
本発明は、前記の点に鑑みてなされたものであり、複数の異なる方向に沿って同時に塗布材料を塗布すると共に、塗布パターン幅を拡張させて前記塗布パターンの面積を従来と比較して増大させることにより、塗布時間を短縮することが可能な塗布装置及び方法並びに前記塗布装置に装着されるチップを提供することを目的とする。
【課題を解決するための手段】
【００１１】
前記の目的を達成するために、本発明は、成形型の成形面に対しノズルによって塗布材料を塗布する塗布装置において、
本体と、
前記本体の内部に設けられた複数の連通路を介して塗布材料及び流体がそれぞれ送給され、前記ノズルをそれぞれ有する２以上の複数のチップと、
を備え、
前記チップには、前記ノズルに連通し塗布材料である樹脂材料が供給される樹脂用連通路と、前記ノズル側に向かって前記流体が吐出され、前記樹脂用連通路の中心軸に対して交差する中心軸を有する流体用連通路が設けられることを特徴とする。
【００１２】
本発明によれば、ノズルに連通し塗布材料である樹脂材料が供給される樹脂用連通路の中心軸に対して交差する中心軸を有する流体用連通路（例えば、エア用連通路）をチップに設けることにより、前記エア用連通路から吐出されたエアの拡散作用によって樹脂用連通路から吐出された塗布材料が半径外方向に向かって徐々に拡散することにより塗布パターン幅が拡張され、この結果、塗布パターンの面積を増大させることができる。
【００１３】
また、従来の塗布装置では塗布部位に対する塗布材料の吐出方向が単一の方向に限定されていたのに対し、本発明によれば、複数の連通路を介して送給された塗布材料を、複数のチップによって、例えば、異なる複数の方向に向かって同時に吐出することができる。従って、本発明では、成形型の成形面に対する塗布時間を大幅に短縮して塗布作業を効率的に遂行することができる。
【００１４】
さらに、本発明では、前記本体を支持部に対して着脱自在に連結する連結機構を設けることにより、前記本体を支持部から取り外して連通路等を簡便に洗浄することができる。
【００１５】
さらにまた、本発明では、前記複数のチップを、本体に形成された凹部に対して着脱自在に設けることにより、前記複数のチップを本体から取り外して、チップのノズル等を簡便に洗浄してノズル孔の目詰まりを好適に阻止することができる。なお、前記樹脂用連通路の中心軸と前記流体用連通路の中心軸との交差角度は、２０度〜４０度の範囲内に設定されるとよい。
【００１６】
またさらに、本発明では、成形型の成形面における塗布部位の形状が徐々に幅狭となって閉塞する袋状の部位に対し、それぞれのノズルから塗布材料を吐出する方向が異なる複数のチップによって同時に塗布することにより、前記袋状の部位を好適に塗布することができる。
【００１７】
またさらに、本発明では、成形型の成形面における塗布部位の形状が徐々に幅狭となって閉塞する袋状の部位に対し、ノズルから塗布材料を吐出する方向が異なる複数のチップのうち、直進方向に交差する方向に向かってのみ塗布するチップにより塗布材料を塗布した後、前記直進方向に向かってのみ塗布するチップにより塗布材料を塗布しつつ、或いはその塗布後に、本体を支持する支持部をその軸線中心に回転させ、次に直進方向に交差する方向に向かってのみ塗布するチップにより塗布材料を塗布し、これら複数のチップを選択し前記選択されたチップにより連続して塗布することにより、前記袋状の部位を好適に塗布することができる。
【発明の効果】
【００１８】
本発明では、塗布パターン幅を拡張して塗布パターンの面積を従来と比較して増大させることにより、塗布時間を短縮することができる。
【発明を実施するための最良の形態】
【００１９】
本発明に係る塗布装置について好適な実施の形態を挙げ、添付の図面を参照しながら以下詳細に説明する。
【００２０】
図１において、参照符号１０は、本発明の実施の形態に係る塗布装置を示す。この塗布装置１０は、基本的に、円柱状に形成されたガン本体１２と、前記ガン本体１２をシャフト部１４に対して着脱自在に連結する連結機構１６と、前記ガン本体１２の環状凹部１８に対して着脱自在に連結され塗布材料が吐出されるノズル２０を有する円盤状の第１チップ２２及び第２チップ２４とから構成される。
【００２１】
なお、前記シャフト部１４は、図示しない多関節ロボットのロボットアームの一端部に装着され、前記ロボットアームによって相互に直交するＸＹＺの３軸方向に沿って変位自在に設けられる。前記ロボットアームは、前記ガン本体１２の姿勢を変化させるために、前記シャフト部１４の基端部を中心に揺動させる揺動軸と、前記シャフト部１４の軸線中心に回転させる回転軸を、少なくとも備えるのが通常である。また、直交する３軸方向の移動軸、すなわちＸ軸、Ｙ軸、Ｚ軸に係る移動ユニットを備えた工作機械において、前記移動ユニットの前端に前記揺動軸と、回転軸を有するロボットアームを備え、前記ロボットアームの一端部に装着してもよい。塗布ガンとは、成形型の成形面に塗布材料を塗布して自動送りされるものであり、本実施の形態においては、基本的に、塗布したい方向を定めてガン本体１２を向ける移動手段が含まれていない。
【００２２】
前記連結機構１６は、シャフト部１４の一端部に連結されるロッド部２６と、内周面に雌ねじ部２８が設けられ前記ロッド部２６の外周面を囲繞するロックリング３０とを有する。前記ロッド部２６及びシャフト部１４の内部には、前記第１チップ２２及び第２チップ２４のノズル２０にそれぞれ連通して液状の塗布材料を供給する第１通路３２ａ及び第２通路３２ｂと、前記第１チップ２２及び第２チップ２４のノズル２０に対してそれぞれエアを送給する第１エア通路３４ａ及び第２エア通路３４ｂとが設けられる。
【００２３】
この場合、前記第１通路３２ａ及び第２通路３２ｂは、図示しない第１切換機構を経由して塗布材料供給源（図示せず）に接続され、一方、第１エア通路３４ａ及び第２エア通路３４ｂは、図示しない第２切換機構を経由してエア供給源（図示せず）に接続される。
【００２４】
なお、図示しない第１切換機構は、第１通路３２ａ及び第２通路３２ｂの両者に対して塗布材料を同時に供給する場合と、前記第１通路３２ａ又は第２通路３２ｂのいずれか一方に対して塗布材料を供給する場合（第１通路３２ａと第２通路３２ｂとのいずれかを選択する場合をも含む）とが適宜選択されて切り換え可能に設けられる。また、図示しない第２切換機構は、第１エア通路３４ａ及び第２エア通路３４ｂの両者に対してエアを同時に送給する場合と、前記第１エア通路３４ａ又は第２エア通路３４ｂのいずれか一方に対してエアを送給する場合（第１エア通路３４ａと第２エア通路３４ｂとのいずれかを選択する場合をも含む）が適宜選択されて切り換え可能に設けられる。
【００２５】
前記ガン本体１２の一側面には、前記ロッド部２６が挿入される開口部３６を有し外周面に前記ロックリング３０の雌ねじ部２８に螺合する雄ねじ部３８が形成された円筒部４０を有する。
【００２６】
また、前記ガン本体１２の内部には、前記ロッド部２６の第１通路３２ａと第１チップ２２のノズル２０とを連通させ、前記第１チップ２２のノズル２０側に向かって塗布材料を供給する第１連通路４２ａと、前記ロッド部２６の第２通路３２ｂと第２チップ２４のノズル２０とを連通させ、前記第２チップ２４のノズル２０側に向かって塗布材料を供給する第２連通路４２ｂとが設けられる。
【００２７】
さらに、前記ガン本体１２の内部には、前記ロッド部２６の第１エア通路３４ａと第１チップ２２のエア吐出孔４４とを連通させ、前記第１チップ２２のエア吐出孔４４に向かってエアを送給する第１エア連通路４６ａと、前記ロッド部２６の第２エア通路３４ｂと第２チップ２４のエア吐出孔４４とを連通させ、前記第２チップ２４のエア吐出孔４４に向かってエアを送給する第２エア連通路４６ｂとが設けられる。
【００２８】
この場合、図３に示されるように、塗布材料が吐出されるノズル孔４８の軸線Ａに対して前記エア吐出孔４４の軸線Ｂが約３０度だけ傾斜するように設定されているため（傾斜角度θが約３０°）、前記エア吐出孔４４の軸線がノズル孔４８の軸線と平行な場合と比較して、塗布パターンの幅を拡幅させて前記塗布パターンの面積を増大させることができる。
【００２９】
すなわち、図８に示されるように、ガン本体１００の軸線と直交する方向に向かってのみ塗布材料が吐出される比較例に係る垂直ガン１０２では、塗布材料が吐出されるノズル孔１０４の軸線Ｃとエア吐出孔１０６の軸線Ｄとがそれぞれ平行に配置されているため、塗布パターン幅が狭小となる。
【００３０】
これに対し、図９に示されるように、本実施の形態では、ガン本体１２の軸線と直交する方向に沿って延在し塗布材料が吐出されるノズル孔４８の軸線Ａと、エア吐出孔４４の軸線Ｂとがそれぞれ約３０度の交差角度をもって交差するように設定されている。換言すると、塗布材料が吐出されるノズル孔４８の軸線Ａに対して、その入射角度が３０度だけ傾斜するようにエア吐出孔４４が設けられているため、前記エア吐出孔４４から吐出されたエアの拡散作用によってノズル孔４８から吐出された塗布材料が半径外方向に向かって徐々に拡散することにより、塗布パターン幅が拡張される。なお、ガン本体１２の軸線と直交する方向に沿って延在し塗布材料が吐出されるノズル孔４８の軸線Ａと、エア吐出孔４４の軸線Ｂとの交差角度は、２０度〜４０度の範囲内で設定されるとよい。
【００３１】
図３において、第１チップ２２及び第２チップ２４は、円盤状の外周面に形成された雄ねじ部５０とガン本体１２の環状凹部１８の内周面に形成された雌ねじ部５２とが螺合して取り外し可能に設けられる。前記第１チップ２２及び第２チップ２４とガン本体１２の環状凹部１８との間には保持部材５４が介装される。
【００３２】
なお、前記保持部材５４とガン本体１２との間にはシールリング５６が設けられ、前記シールリング５６によって第１エア連通孔４６ａ及び第２エア連通孔４６ｂの気密性が保持される。また、前記エア吐出孔４４は、平面視した保持部材５４の周方向に沿って等角度離間して、複数個配設されるとよい。
【００３３】
この場合、第１チップ２２のノズル孔４８の軸線は、円柱状に形成されたガン本体１２の軸線と略平行となるように配設され、ノズル２０からガン本体１２の軸線方向（シャフト部１４の軸線方向）と略平行な水平方向に沿って塗布材料が吐出され、一方、第２チップ２４のノズル孔４８の軸線は、前記ガン本体１２の軸線と略直交する方向に配設され、ノズル２０からガン本体１２の軸線方向（シャフト部１４の軸線方向）と直交する鉛直下方向に向かって塗布材料が吐出される。
【００３４】
第１チップ２２の塗布範囲の角度を超えて、且つ第１チップ２２及び第２チップ２４のそれぞれから同時に吐出した場合、第１チップ２２から吐出される塗布材料が半径外方向に向かって拡散され拡張された塗布パターンと、第２チップ２４から吐出される塗布材料が、半径外方向に向かって拡散され拡張された塗布パターンとが、重なり合わない角度に前記第２チップ２４のノズル孔４８の軸線を設定することができる。前記第１チップ２２から吐出される塗布材料が拡散され拡張された塗布パターンと、前記第２チップ２４から吐出される塗布材料が拡散され拡張された塗布パターンとが、例えば、第１チップ２２及び第２チップ２４のそれぞれから同時に吐出した場合、塗布面（塗布パターン）が重なり合わないので、塗布材料を削減することができると共に、塗布パターンに凹凸ができなくて好都合である。従って、第２チップ２４のノズル孔４８は、第１チップ２２のノズル孔４８に略直交して配設するとよい。しかしながら、第１チップ２２及び第２チップ２４のそれぞれから同時に吐出した場合、それぞれの塗布パターンが重なり合った方がよいときには、第１チップ２２の塗布範囲の角度を超えないで、且つ第１チップ２２及び第２チップ２４のそれぞれから同時に吐出した場合、第１チップ２２から吐出される塗布材料が半径外方向に拡散され拡張された塗布パターンと、第２チップ２４から吐出される塗布材料が半径外方向に向かって拡散され拡張された塗布パターンとが、重なり合う角度に、前記第２チップ２４のノズル孔４８の軸線を設定すればよい。
【００３５】
本発明の実施の形態に係る塗布装置１０は、基本的には以上のように構成されるものであり、次にその動作並びに作用効果について説明する。
【００３６】
ここで、表皮材として、例えば、インストルメントパネル６６を製造する工程を、図７Ａ〜図７Ｅに基づいて概略説明する。
【００３７】
先ず、図７Ａに示されるように、成形型６８の成形面７０に離型剤を塗布する。前記離型剤としては、ワックス系、ソープ系のいずれでもよく、艶ムラをなくすために塗布後にウェスによる手拭きを行うことが好ましい。
【００３８】
離型剤を塗布した後、図７Ｂに示されるように、シャフト部１４の先端部に付設された本実施の形態に係る塗布装置１０を用いて、インストルメントパネル６６の最表面となるインモールドペイント（ＩＭＰ）を均一に塗布する。このＩＭＰは着色及び耐光性を目的として塗布される。続いて、図７Ｃに示されるように送風乾燥を行った後、図７Ｄに示されるように、図示しない塗布装置を用い、ウレタン樹脂材料が成形面７０に均一に塗布された前記ＩＭＰの固化裏面に塗布される。
【００３９】
前記ウレタン樹脂材料の塗布が終了した後、図７Ｅに示されるように、加熱（キュア）にて硬化を促進せしめた後、脱型してインストルメントパネル６６が得られる。
【００４０】
次に、本実施の形態に係る塗布装置１０の作用効果について以下に詳細に説明する。
【００４１】
シャフト部１４及びロッド部２６の第１通路３２ａ及び第２通路３２ｂを介して供給された液状の塗布材料は、ガン本体１２の内部に形成された第１連通路４２ａ及び第２連通路４２ｂに導入される。前記第１連通路４２ａに導入された塗布材料は、第１チップ２２のノズル孔４８に沿って供給され、第１エア通路３４ａを介して供給されるエアの作用下に、前記第１チップ２２のノズル２０からガン本体１２の軸線と平行な水平方向に沿って吐出される。一方、前記第２連通路４２ｂに導入された塗布材料は、第２チップ２４のノズル孔４８に沿って供給され、第２エア通路３４ｂを介して供給されるエアの作用下に、前記第２チップ２４のノズル２０からガン本体１２の軸線と直交する鉛直下方向に向かって吐出される。
【００４２】
従って、本実施の形態では、ガン本体１２から相互に直交する２方向に向かって塗布材料が同時に吐出されて、成形型６８の成形面７０に対してスプレー塗布される。すなわち、図示しないロボットアームの変位作用下に、第１チップ２２を介してガン本体１２の直進方向に向かって塗布材料が塗布されると共に、第２チップ２４を介してガン本体１２の軸線方向と直交する方向に向かって塗布材料がそれぞれ同時に塗布される。
【００４３】
従来の塗布ガンでは塗布部位に対して塗布材料の吐出方向が単一の方向に限定されていたのに対し、本実施の形態では、相互に直交する複数の方向に向かって同時に塗布材料を吐出することができる（図４参照）。
【００４４】
従って、本実施の形態では、成形型６８の成形面７０に対する塗布時間を大幅に短縮して塗布作業を効率的に遂行することができる。なお、本実施の形態では、第１チップ２２及び第２チップ２４を用いて２方向に塗布材料が吐出されることで説明しているが、塗布材料の吐出方向は前記２方向に限定されるものではなく、複数個のチップを相互に直交する方向に配置することにより、２方向以上の複数の方向に対して塗布材料を吐出することができる。さらに、本実施の形態では、複数個のチップを相互に直交する方向に配置することで説明しているが、これに限定されるものではなく、複数個のチップ（チップの軸線）がお互いに交差している方向で配置されていればよい。
【００４５】
ここで、本実施の形態に係る塗布装置１０と図８に示される比較例に係る垂直ガン１０２とを用いて、成形面に対してそれぞれ塗布した場合の実験結果を図１０に示す。なお、前記実験では、塗布材料の吐出量を３０ｇ／ｍｉｎ、吐出速度を３００ｍｍ／ｓｅｃ、塗布距離を３０ｍｍに設定した。
【００４６】
図１０中において、実線で示される特性曲線Ｅは、本実施の形態に係る塗布装置１０を用いて相互に直交する２方向に同時に塗布した場合における変位位置と膜厚との関係を示したものであり、破線で示される特性曲線Ｆは、前記比較例に係る垂直ガン１０２によって塗布した場合を示したものである。
【００４７】
比較例に係る垂直ガン１０２では、塗布パターン幅１０（ｍｍ）で膜厚が８（μｍ）であったのに対し、本実施の形態では、塗布パターン幅２５（ｍｍ）で膜厚が２０（μｍ）となる結果が得られた。このような実験結果から、本実施の形態では、塗布パターン幅が拡張して塗布パターンの面積が増大していると共に、塗布された膜厚が所定の基準値（２０μｍ）を超えた膜厚が形成されていることがわかった。この結果、本実施の形態では、ワークに対する塗布品質を向上させることにより、塗布回数を従来と比較して減少させることができた。
【００４８】
また、本実施の形態では、連結機構１６を介してガン本体１２が図示しないロボットアームの一端部に装着されるシャフト部１４のロッド部２６から取り外し可能に設けられているため、取り外したガン本体１２の塗布材料が流通する第１連通路４２ａ及び第２連通路４２ｂを簡便に洗浄することができる。従って、塗布材料が流通する流路の途中から分解することができるため、前記流路中の任意の箇所が詰まった場合であっても、簡便に取り除くことができる。この結果、本実施の形態では、塗布成形を連続して遂行した場合であっても、ノズル２０等の詰まりが阻止されて安定した塗布パターン幅を得ることができる。
【００４９】
さらに、本実施の形態では、ノズル２０を有する第１チップ２２及び第２チップ２４自体を、ねじ嵌合されているガン本体１２の環状凹部１８から取り外して簡便に洗浄することができる。
【００５０】
さらにまた、本実施の形態では、図示しない切換機構（例えば、切換弁）の切換作用下に、第１チップ２２を介して直進方向に向かってのみ塗布材料を吐出する場合（図５参照）と、第２チップ２４を介して鉛直下方向に向かってのみ塗布材料を吐出する場合（図６参照）とを適宜選択して使用することができる。
【００５１】
例えば、第２チップ２４を介して鉛直下方向に向かってのみ塗布材料を塗布する場合、シャフト部１４を図示しないロボットアームによって図６の紙面垂直方向に向かって複数回往復移動させた後、第１チップ２２を介して直進方向に向かってのみ塗布材料を吐出し、シャフト部１４を図示しないロボットアームによって図５の紙面垂直方向に向かって複数回往復移動させて塗布することが考えられる。しかしながら、このような塗布方法であると、図５の紙面垂直方向に向かって複数回往復移動させて塗布する時間に隣り合う往経路復経路において粘度差が発生し、成形型の成形面における塗布部位の形状が徐々に幅狭となって閉塞する袋状の頂部を形成する際に不都合が生じる場合がある。
【００５２】
そこで、本実施の形態では、前記成形型の成形面における塗布部位の形状が徐々に幅狭となって閉塞する袋状の部位に対し、ノズルから塗布材料を塗布する方向が異なる複数のチップのうち、直進方向に交差する方向に向かってのみ塗布するチップにより塗布材料を塗布（図６参照）した後、直進方向に向かってのみ塗布するチップにより塗布材料を塗布しつつ、或いはその塗布後に、ガン本体１２を支持するシャフト部１４（支持部）をその軸線中心に回転させ、次に直進方向に交差する方向に向かってのみ塗布するチップにより塗布材料を塗布（図６参照）しつつ、これら複数のチップを選択してこれらチップにより連続して塗布することにより、成形型の成形面における塗布部位の形状が徐々に幅狭となって閉塞する袋状の頂部を形成するときに粘度差が発生することがなく、成形型の成形面における塗布部位の形状が徐々に幅狭となって閉塞する袋状部位に対し、連続して塗布することができるため前記のような不都合をなくすことができる。このように本実施の形態では、塗布方法の自由度をより一層向上させることができる。
【００５３】
またさらに、本実施の形態では、成形型の成形面における塗布部位の形状が徐々に幅狭となって閉塞する袋状の部位に対し、それぞれのノズル２０から塗布材料を吐出する方向が相互に直交する第１チップ２２及び第２チップ２４によって同時に塗布することにより、前記袋状の部位を好適に塗布することができる。
【図面の簡単な説明】
【００５４】
【図１】本発明の実施の形態に係る塗布装置の概略構成縦断面図である。
【図２】図１の塗布装置において、シャフト部の円筒部からガン本体を取り外した状態を示す縦断面図である。
【図３】図１の塗布装置において、ガン本体の環状凹部から第１チップ及び第２チップを取り外した状態を示す縦断面図である。
【図４】図１の塗布装置において、相互に直交する２方向に配置された第１チップ及び第２チップから同時に塗布材料を吐出した状態を示す縦断面図である。
【図５】図１の塗布装置において、前記第１チップのみから塗布材料を吐出した状態を示す縦断面図である。
【図６】図１の塗布装置において、前記第２チップのみから塗布材料を吐出した状態を示す縦断面図である。
【図７】図７Ａ〜図７Ｅは、表皮材として、インストルメントパネルを製造する工程を示す説明図である。
【図８】比較例に係る垂直ガンの塗布パターン幅を示す縦断面図である。
【図９】図１の塗布装置の塗布パターン幅を示す一部省略縦断面図である。
【図１０】図８に示す比較例に係る垂直ガンと、図１に示す本実施の形態に係る塗布装置とにおける膜厚と変位位置との関係を示す特性図である。
【図１１】従来技術において、塗布ガンの軸と平行な直線方向に沿ってのみ塗布材料が吐出される第１塗布ガンによって塗布された状態を示す説明図である。
【図１２】従来技術において、塗布ガンの軸線と直交する方向に沿ってのみ塗布材料が吐出される第２塗布ガンによって塗布された状態を示す説明図である。
【符号の説明】
【００５５】
１０…塗布装置                        １２…ガン本体
１４…シャフト部                      １６…連結機構
２０…ノズル                          ２２、２４…チップ
２６…ロッド部                        ３０…ロックリング
３２ａ、３２ｂ…通路                  ３４ａ、３４ｂ…エア通路
３６…開口部                          ４０…円筒部
４２ａ、４２ｂ…連通路                ４４…エア吐出孔
４６ａ、４６ｂ…エア連通路            ４８…ノズル孔
５４…保持部材                        ５６…シールリング
【図１】
2008168179.tif 000003
【図２】
2008168179.tif 000004
【図３】
2008168179.tif 000005
【図４】
2008168179.tif 000006
【図５】
2008168179.tif 000007
【図６】
2008168179.tif 000008
【図７】
2008168179.tif 000009
【図８】
2008168179.tif 000010
【図９】
2008168179.tif 000011
【図１０】
2008168179.tif 000012
【図１１】
2008168179.tif 000013
【図１２】
2008168179.tif 000014